(57)【要約】      （修正有）【課題】所望の測定データを確実に送信すると共に、小型測定機器の電源の電力消費を最小化した送信システムを提供する。【解決手段】測定値送信システムは、小型測定機器（例えば、ノギス、マイクロメータ等）に接続され、測定データをリモートシステム（例えば、ＰＣ）に無線送信する。電力生成部は、ユーザが実行する仕事量（例えば、ボタン、スライド、レバー等の操作）を無線送信に必要な電力に変換する。データ保持アクチュエータは、後で無線送信される測定データのセットを固定する（これによって、例えば、ノギスのジョウを誤って動かしてしまった場合に測定値の精度を確保する）。リモートシステムは、測定データの受信に応答して、送信成功信号を測定値送信システムに返送する（これによって、例えば、送信サイクル終了動作、データ保持解除動作、送信成功を確認するユーザに対する通知等を実行する）。【選択図】図１
2016085735.tif 000002
【特許請求の範囲】
【請求項１】
測定データを小型測定機器からリモートシステムに無線送信するための自己発電式測定値送信システムであって、
前記小型測定機器と接続し、前記小型測定機器から前記測定データを受信する機器側データ接続部と、
前記測定データを前記リモートシステムに無線送信する出力側無線送信部と、
送信アクチュエータを有する送信アクティベーション部であって、前記送信アクチュエータは、ユーザによって手動で操作されると、当該自己発電式測定値送信システムに送信動作サイクルを含む動作を実行させ、前記送信動作サイクルは、前記測定データを前記リモートシステムに無線送信することを含む、送信アクティベーション部と、
前記ユーザによって手動で操作される電力生成アクチュエータを有する電力生成部であって、前記ユーザが前記電力生成アクチュエータに付与した仕事量を電力に変換し、前記電力は、前記測定データを前記出力側無線送信部から前記リモートシステムに無線送信させるため、少なくとも前記出力側無線送信部に給電される、電力生成部と
を具備する
自己発電式測定値送信システム。
【請求項２】
請求項１に記載の自己発電式測定値送信システムであって、
前記送信動作サイクルは、第１の量の電力を消費し、
前記電力生成部は、前記電力生成アクチュエータの１回のアクチュエーションサイクルによって、前記第１の量の電力より多い第２の量の電力を生成するように構成される
自己発電式測定値送信システム。
【請求項３】
請求項１に記載の自己発電式測定値送信システムであって、
当該自己発電式測定値送信システムは、本体部に格納され、少なくとも前記電力生成アクチュエータが前記ユーザに視認可能である自己発電式測定値送信モジュールを形成し、
当該自己発電式測定値送信モジュールは、前記小型測定機器と少なくとも電子的に接続するように構成される
自己発電式測定値送信システム。
【請求項４】
請求項３に記載の自己発電式測定値送信システムであって、
前記自己発電式測定値送信モジュールは、前記小型測定機器の接続特徴部と機械的且つ電子的に接続するように構成される
自己発電式測定値送信システム。
【請求項５】
請求項３に記載の自己発電式測定値送信システムであって、
前記自己発電式測定値送信モジュールは、前記小型測定機器からの電力を消費せずに動作するように構成される
自己発電式測定値送信システム。
【請求項６】
請求項５に記載の自己発電式測定値送信システムであって、
前記自己発電式測定値送信モジュールは、バッテリを具備しない
自己発電式測定値送信システム。
【請求項７】
請求項１に記載の自己発電式測定値送信システムであって、
前記ユーザによって手動で操作され、後で前記リモートシステムに無線送信される測定データのセットを固定するデータ保持状態を開始する動作を実行するデータ保持アクチュエータ
をさらに具備する
自己発電式測定値送信システム。
【請求項８】
請求項７に記載の自己発電式測定値送信システムであって、
前記小型測定機器は、測定値ディスプレイを有し、当該測定値ディスプレイ上の現在の測定値を固定することを含む動作の保持モードを実行し、
測定データのセットを固定するデータ保持状態を開始すると、前記機器側データ接続部を通じて、前記小型測定機器に、前記動作の保持モードを開始させる
自己発電式測定値送信システム。
【請求項９】
請求項7に記載の自己発電式測定値送信システムであって、
測定データのセットを固定するデータ保持状態を開始する前記動作は、前記測定データのセットを、後で前記リモートシステムに無線送信するために、当該自己発電式測定値送信システムのメモリに一時的に記憶することを含む
自己発電式測定値送信システム。
【請求項１０】
請求項７に記載の自己発電式測定値送信システムであって、
前記送信アクチュエータ及び前記電力生成アクチュエータは、当該送信アクチュエータ及び当該前記電力生成アクチュエータの両方の機能を有する１つのアクチュエータからなる
自己発電式測定値送信システム。
【請求項１１】
請求項１０に記載の自己発電式測定値送信システムであって、
前記送信アクチュエータ、前記電力生成アクチュエータ及び前記データ保持アクチュエータは、当該送信アクチュエータ、当該電力生成アクチュエータ及び当該データ保持アクチュエータの３つ全ての機能を有する１つのアクチュエータからなる
自己発電式測定値送信システム。
【請求項１２】
請求項１１に記載の自己発電式測定値送信システムであって、
前記自己発電式測定値送信システムは、状態依存動作を実行するように構成され、
当該状態依存動作は、
前記データ保持状態が作動していない場合、前記１つのアクチュエータが作動すると、前記データ保持状態を開始する前記動作を開始し、且つ、前記送信動作サイクルを含む一連の動作を開始せず、
前記データ保持状態が既に作動している場合、前記１つのアクチュエータが作動すると、前記送信動作サイクルを含む前記一連の動作を開始する
自己発電式測定値送信システム。
【請求項１３】
請求項７に記載の自己発電式測定値送信システムであって、
前記送信動作サイクルは、データ保持解除動作をさらに含み、
当該データ保持解除動作は、前記測定データの送信が成功した後に実行され、前記データ保持状態を終了させる
自己発電式測定値送信システム。
【請求項１４】
請求項１に記載の自己発電式測定値送信システムであって、
前記送信動作サイクルは、送信サイクル終了動作をさらに含み、
当該送信サイクル終了動作は、前記測定データの送信が成功した後に実行され、当該自己発電式測定値送信システムの前記アクチュエータのうちの１つが前記ユーザに再び手動で操作されるまで、当該自己発電式測定値送信システムの前記動作の少なくとも一部を終了させる
自己発電式測定値送信システム。
【請求項１５】
請求項１４に記載の自己発電式測定値送信システムであって、
無線受信部をさらに具備し、
前記無線受信部により前記リモートシステムから送信成功信号を受信した後、前記送信サイクル終了動作を実行する
自己発電式測定値送信システム。
【請求項１６】
請求項１に記載の自己発電式測定値送信システムであって、
当該自己発電式測定値送信システムは、少なくとも前記電力生成アクチュエータが前記ユーザに視認可能であるように前記小型測定機器に格納される
自己発電式測定値送信システム。
【請求項１７】
請求項１６に記載の自己発電式測定値送信システムであって、
前記送信アクチュエータ及び前記電力生成アクチュエータは、当該送信アクチュエータ及び当該前記電力生成アクチュエータの両方の機能を有する１つのアクチュエータからなる
自己発電式測定値送信システム。
【請求項１８】
請求項１に記載の自己発電式測定値送信システムであって、
前記小型測定機器は、ノギス又はマイクロメータであり、
前記測定データは、測定対象物の寸法に関するものである
自己発電式測定値送信システム。
【請求項１９】
請求項１に記載の自己発電式測定値送信システムであって、
前記電力生成アクチュエータは、ボタン、スライド又はレバーを含む
自己発電式測定値送信システム。
【請求項２０】
請求項１９に記載の自己発電式測定値送信システムであって、
前記電力生成アクチュエータは、前記電力生成部に設けられた圧電素子又は電磁発電機に対して仕事量を付与するように構成される
自己発電式測定値送信システム。
【請求項２１】
測定データを小型測定機器からリモートシステムに無線送信するための測定値送信システムであって、
前記小型測定機器と接続し、前記小型測定機器から前記測定データを受信するように構成される機器側データ接続部と、
前記測定データを前記リモートシステムに無線送信するように構成される出力側無線送信部と、
送信アクチュエータを有する送信アクティベーション部であって、前記送信アクチュエータは、ユーザによって手動で操作されると、当該測定値送信システムに送信動作サイクルを含む動作を実行させ、前記送信動作サイクルは、前記測定データを前記リモートシステムに無線送信することを含む、送信アクティベーション部と、
前記ユーザによって手動で操作され、後で前記リモートシステムに無線送信される測定データのセットを固定するデータ保持状態を開始する動作を実行するデータ保持アクチュエータと
を具備する
測定値送信システム。
【請求項２２】
請求項２１に記載の測定値送信システムであって、
前記送信アクチュエータ及び前記データ保持アクチュエータは、当該送信アクチュエータ及び当該データ保持アクチュエータの両方の機能を有する１つのアクチュエータからなる
測定値送信システム。
【請求項２３】
請求項２２に記載の測定値送信システムであって、
当該測定値送信システムは、前記小型測定機器に格納される
測定値送信システム。
【請求項２４】
請求項２２に記載の測定値送信システムであって、
当該測定値送信システムは、状態依存動作を実行するように構成され、
当該状態依存動作は、
前記データ保持状態が作動していない場合、前記１つのアクチュエータが作動すると、前記データ保持状態を開始する前記動作を開始し、且つ、前記送信動作サイクルを含む一連の動作を開始せず、
前記データ保持状態が既に作動している場合、前記１つのアクチュエータが作動すると、前記送信動作サイクルを含む前記一連の動作を開始する
測定値送信システム。
【請求項２５】
請求項２１に記載の測定値送信システムであって、
前記送信動作サイクルは、データ保持解除動作をさらに含み、
当該データ保持解除動作は、前記測定データの送信が成功した後に実行され、前記データ保持状態を終了させる
測定値送信システム。
【請求項２６】
請求項２１に記載の測定値送信システムであって、
前記送信動作サイクルは、送信サイクル終了動作をさらに含み、
当該送信サイクル終了動作は、前記測定データの送信が成功した後に実行され、当該測定値送信システムのアクチュエータがユーザに再び手動で操作されるまで、当該測定値送信システムの少なくとも一部の動作を終了させる
測定値送信システム。
【請求項２７】
請求項２６に記載の測定値送信システムであって、
無線受信部をさらに具備し、
前記無線受信部により前記リモートシステムから送信成功信号を受信した後、前記送信サイクル終了動作を実行する
測定値送信システム。
【請求項２８】
請求項２１に記載の測定値送信システムであって、
前記測定値送信システムは、本体部に格納され、前記小型測定機器と少なくとも電子的に接続するように構成される測定値送信モジュールを形成する
測定値送信システム。
【請求項２９】
請求項２８に記載の測定値送信システムであって、
前記測定値送信モジュールは、前記小型測定機器の接続特徴部と機械的且つ電子的に接続するように構成される
測定値送信システム。
【発明の詳細な説明】
【技術分野】
【０００１】
本発明は、計測システムに関し、特に、測定データを小型測定機器からリモートシステムに無線送信するための測定値送信システムに関する。
【背景技術】
【０００２】
現在、様々な小型測定機器を利用することができる。小型測定機器の一例として、電子ノギス等の変位量測定機器がある。これを用いれば、対象物の各寸法を正確に測定することができる（例えば、機械加工された部位を測定し、公差基準値の範囲内であるか確かめる）。同一出願人による特許文献１、特許文献２、及び特許文献３には、典型的な電子ノギスが開示される。
【０００３】
当然のことだが、このようなノギスや他の小型測定機器の消費電力が減れば、必要な電池（又は他の電源）の数も減り、これらの電池（又は他の電源）の交換又は充電が必要となるまでの当該ノギスや他の小型測定機器の動作期間が延びる。しかし、このような機器に必要となる電力量を「マイクロワット」以上の単位で削減するのは難しい。係る機器は、極めて正確な測定を行うことが要求される。このような機器に用いるために開発されてきた信号処理技術が複雑であるため、所望の精度を達成しながら低電圧・低電力で動作するような回路を設計することもまた、複雑になることが多い。さらに、基本的な動作及び測定に必要な電力に比べ、特定の機能（測定データの無線送信等）に必要な電力資源は、はるかに大きい場合がある。この特定の機能に必要な電力が大きいという問題に加えて、様々な要因（例えば、測定機能の実行中にノギスのジョウを誤って動かしてしまった場合等）が測定値の信頼性又は予測可能性に影響するおそれがある、という問題もある。
【先行技術文献】
【特許文献】
【０００４】
【特許文献１】米国再発行特許第３７４９０号
【特許文献２】米国登録特許第５５７４３８１号
【特許文献３】米国登録特許第５９７３４９４号
【特許文献４】米国登録特許第６６７１９７６号
【特許文献５】米国登録特許第８１３１８９６号
【発明の概要】
【発明が解決しようとする課題】
【０００５】
以上のような事情に鑑み、本発明の目的は、測定データの無線送信等の機能を実行する能力を向上して所望の測定データを確実に送信すると共に、小型測定機器の電源の電力消費を最小化することにある。
【課題を解決するための手段】
【０００６】
この「課題を解決するための手段」では、以下の「発明を実施するための形態」に詳細に記載された各構想のなかから選択した構想を単純化したものを紹介する。この「課題を解決するための手段」は、「特許請求の範囲」の内容の重要な特徴を特定するためのものではなく、「特許請求の範囲」の範囲を特定するのに用いられるものでもない。
【０００７】
測定データを小型測定機器からリモートシステムに無線送信するための測定値送信システムが提供される。各実装形態では、小型測定機器は、ノギス又はマイクロメータである。測定データは、測定対象物の寸法に関するものである。測定値送信システムは、少なくとも機器側データ接続部と、出力側無線送信部と、送信アクティベーション部とを具備する。機器側データ接続部は、小型測定機器と接続し、測定データを小型測定機器から受信する。出力側無線送信部は、測定データをリモートシステムに無線送信するように構成される。送信アクティベーション部は、ユーザによって手動で操作されると、送信動作サイクルを含む動作を実行させる。当該送信動作サイクルは、測定データをリモートシステムに無線送信することを含む。
【０００８】
各実装形態では、測定値送信システムは、ユーザが付与した仕事量（例えば、ボタン、スライド、レバー等の電力生成アクチュエータの操作）を、測定データをリモートシステムに無線送信するための電力に変換する電力生成部を有する。一実装形態では、１回の送信動作サイクルは、第１の量の電力を消費し、電力生成部は、電力生成アクチュエータの１回のアクチュエーションサイクルによって、第１の量の電力より多い第２の量の電力を生成するように構成される。小型精密測定機器内の主バッテリ資源をデータの無線送信に用いてもよいし、外部の電力生成部から無線送信のための電力を供給することによって、主電源の消耗を低減することができることを理解されたい。
【０００９】
各実装形態では、測定値送信システムは、付加的に又は代替的に、ユーザによって手動で操作され、後でリモートシステムに無線送信される測定データのセットを固定するデータ保持状態を開始する動作を実行するデータ保持アクチュエータを有してもよい。このデータ保持状態は、様々な利点を有し得ることを理解されたい。例えば、利点の１つとして、ユーザは、測定データを一時的に保存しておき、（例えば、ユーザが電力生成アクチュエータ及び／又は送信アクチュエータや他の部品を操作する際に、ノギスのジョウを誤って動かしてしまった場合に）本来の測定値をディスプレイ上で確認することができる。
【００１０】
各実装形態では、リモートシステムは、測定データの受信に成功すると、送信成功信号を測定値送信システムに無線送信で返送する。各実装形態では、送信成功信号を受信するか又は送信成功を別の方法で判定すると、測定値送信システムは、種々の動作を実行する（例えば、送信サイクル終了動作を実行して無線送信を停止させる、データ保持解除動作を実行してデータ保持状態を終了させる、送信が成功した旨を示す通知をディスプレイを用いてユーザに提示する等）。
【００１１】
各実装形態では、測定値送信システムは、本体部に格納され、少なくとも１つのアクチュエータ（例えば、送信アクチュエータ、電力生成アクチュエータ及び／又はデータ保持アクチュエータ）がユーザに視認可能である測定値送信モジュールを形成する。別の実装形態では、測定値送信システムは、小型測定機器に収容されてもよい。各実装形態では、１つのアクチュエータ（例えば、ボタン、スライド、レバー等）が、送信アクチュエータ、電力生成アクチュエータ及び／又はデータ保持アクチュエータとして機能してもよい。代替的に、１つ又は複数の付加的なアクチュエータを設け、これによって、係る機能のうちの１つ又は複数を実行してもよい。
【発明の効果】
【００１２】
本発明によれば、測定データの無線送信等の機能を実行する能力を向上して所望の測定データを確実に送信すると共に、小型測定機器の電源の電力消費を最小化することが可能である。
【図面の簡単な説明】
【００１３】
【図１】小型測定機器に接続され、測定データをリモートシステムに無線送信している状態の、第１の例示的な実施形態に係る測定値送信システムを示すブロック図である。
【図２Ａ】小型測定機器に接続され、測定データをリモートシステムに無線送信している状態の、第２の例示的な実施形態に係る測定値送信システムを示す図である。
【図２Ｂ】小型測定機器に接続され、測定データをリモートシステムに無線送信している状態の、第２の例示的な実施形態に係る測定値送信システムを示す図である。
【図３】小型測定機器に接続される、第３の例示的な実施形態に係る測定値送信システムを示す斜視図である。
【図４】測定値送信システムを収容する凹部が形成された第４の例示的な実施形態に係る測定値送信システムを示す斜視図であり、当該測定値送信システムは、小型測定機器に接続される。
【図５】測定データをリモートシステムに無線送信するための小型測定機器に格納された状態の、第５の例示的な実施形態に係る測定値送信システムを示す正面図である。
【図６】例示的な一実施形態に係る測定値送信システム、小型測定機器、及びリモートシステムの各回路部を示すブロック図である。
【発明を実施するための形態】
【００１４】
図１は、第１の例示的な実施形態に係る測定値送信システム１５０を含む測定システム１０の一例を示すブロック図である。同図では、測定値送信システム１５０は、小型測定機器１０１に接続され、小型測定機器１０１からリモートシステム１８０に測定データを無線送信する。送信される測定データＴＭＤ１は、小型測定機器１０１によって取得される、測定対象物ＷＰの１以上の測定値（例えば、測定寸法ＭＤ１）に関するものとすればよい。リモートシステム１８０は、キーボード１８４、モニタ１８６、及び／又は他の入力装置／出力装置に動作可能に接続されるコンピュータシステム１８２を有する。小型測定機器１０１の測定データは、当該小型測定機器１０１のディスプレイ１０９及び／又はリモートシステム１８０のモニタ１８６に表示測定値ＤＭ１として表示される。
【００１５】
測定値送信システム１５０は、測定データを無線送信するためのアンテナ１６１を有する。一方、リモートシステム１８０は、送信された測定データＴＭＤ１を受信するためのアンテナ１８１を有する。各実装形態では、リモートシステム１８０は、送信された測定データＴＭＤ１の受信に成功すると、送信成功信号ＳＴＳ１をアンテナ１８１を用いて無線送信する。測定値送信システム１５０は、この送信成功信号ＳＴＳ１をアンテナ１６１を用いて受信する。後でより詳細に説明するが、各実装形態では、測定値送信システム１５０は、送信成功信号ＳＴＳ１を受信する又は別の方法で送信成功を確認すると、種々の動作（例えば、無線送信を停止する送信サイクル終了動作、データ保持状態を終了するデータ保持解除動作、送信が成功した旨を示す通知のディスプレイ表示等）を実行する。
【００１６】
後でまたより詳細に説明するが、各実装形態では、測定値送信システム１５０は、電力生成部を有する。電力生成部は、ユーザが付与した仕事量（work）（例えば、ボタン、スライド、レバー等の電力生成アクチュエータに対する操作）を、測定データをリモートシステム１８０に無線送信するための電力に変換する。あるいは、小型精密測定機器内の主バッテリ資源をデータの無線送信に用いてもよいし、外部の電力生成部から無線送信のための電力を供給することによって、主電源が大量に電力を消費することを回避してもよいことを理解されたい。各実装形態では、測定値送信システム１８０は、付加的に又は代替的に、データ保持アクチュエータを有してもよい。データ保持アクチュエータは、ユーザによって手動で操作されると、後でリモートシステム１８０に無線送信される測定データのセットを固定するデータ保持状態を開始する。このデータ保持状態は、様々な利点を有し得ることを理解されたい。例えば、利点の１つとして、ユーザは、測定データを一時的に保存しておき、（例えば、ユーザが電力生成アクチュエータ及び／又は送信アクチュエータや他の部品を操作する際に、ノギスのジョウを誤って動かしてしまった場合に）本来の測定値を（例えば、測定値送信システムの）ディスプレイ（及び／又はディスプレイ１０９）上で確認することができる。
【００１７】
図２Ａ及び図２Ｂは、測定データをリモートシステム（例えば、図１のリモートシステム１８０）に無線送信するための第２の例示的な実施形態に係る測定値送信システム２５０であって、小型測定機器２０１に接続された状態の測定値送信システム２５０を示す図である。測定値送信システム２５０の一部の特徴部は、図１の測定値送信システム１５０の特徴部と同様であり、以下で別途記載がない限り、同様に動作するものと解釈されることを理解されたい。図２Ａの実施形態では、小型測定機器２０１は、測定対象物ＷＰを測定して得られる測定データ（例えば、測定対象物ＷＰの測定寸法ＭＤ２に対応する）を出力可能なノギスである。測定値送信システム２５０は、第１のアクチュエータ２５５（例えば、ボタン）を有する。各実装形態では、第１のアクチュエータ２５５は、電力生成アクチュエータ、送信アクチュエータ及び／又はデータ保持アクチュエータとして機能する。これについては、後でより詳細に説明する。
【００１８】
各実装形態では、第１のアクチュエータ２５５は、送信アクティベーション部ＴＡＰ２及び／又は電力生成部ＥＧＰ２の一部をなす。例えば、図２Ｂに示すように、送信アクティベーション部ＴＡＰ２は、第１のアクチュエータ２５５（例えば、送信アクチュエータとして示す）と、回路基板アセンブリ２５１の回路素子（回路）２５３Ａ及び２５３Ｂの各部とを含む。同図において、回路基板アセンブリ２５１上の出力側無線送信部ＷＴＰは、回路素子２５３Ｂの各部と、アンテナ２６１とを含む。回路素子２５３Ａ及び２５３Ｂの一例は、図６を参照して後でより詳細に説明する。ユーザが第１のアクチュエータ２５５を操作すると、送信動作サイクルを含む各動作が開始し、これにより、回路素子２５３Ａのスイッチング機能が起動する。回路素子２５３Ａのスイッチング機能が起動すると、送信アクティベーション部ＴＡＰ２が動作する。当該送信動作サイクルは、アンテナ２６１に接続された状態の回路素子２５３Ｂを用いて測定データをリモートシステムに無線送信することを含む。
【００１９】
図２Ａ及び図２Ｂにさらに示すように、電力生成部ＥＧＰ２は、第１のアクチュエータ２５５（例えば、電力生成アクチュエータとして示す）と、仕事量変換素子ＷＣＥと、回路素子２５３Ａの各部とを有する。電力生成部ＥＧＰ２を動作させるため、第１のアクチュエータ２５５は、ユーザが手動で操作することができ、仕事量変換素子ＷＣＥ（例えば、圧電フィルムセンサ又はイグナイター等の圧電素子、電磁発電機等）に対して仕事量を付与するように構成される。図２Ａでは、第１のアクチュエータ２５５をボタンとして示している。一方、他の実装形態では、第１のアクチュエータ２５５は、他の素子（例えば、スライド、レバー等）であり、これに対応する仕事量変換素子に対して仕事量を付与してもよいことを理解されたい。仕事量変換素子ＷＣＥは、この仕事量を、電力に変換する。この変換によって得られた電力は、少なくとも、測定データをリモートシステムに無線送信する出力側無線送信部ＷＴＰ（例えば、回路素子２５３Ｂの各部及びアンテナ２６１を含む）に給電される。
【００２０】
一実装形態では、送信アクティベーション部ＴＡＰ２は、送信動作サイクルを１回行うとき第１の量の電力を消費し、電力生成部ＥＧＰ２は、電力生成アクチュエータ２５５のアクチュエーションサイクルを１回行うことで、第１の量の電力より多い第２の量の電力を生成するように構成される。換言すると、図２の実装形態では、測定値送信システム２５０の全体的な動作によれば、ユーザがアクチュエータボタン２５５を一回押下すると、測定データの無線送信が開始すると共に、当該無線送信のための十分な量の電力が生成される。
【００２１】
各実装形態では、第１のアクチュエータ２５５は、データ保持アクチュエータとしての機能を付加的に又は代替的に有してもよい。係る実装形態では、ユーザが第１のアクチュエータ２５５を手動で操作すると、データ保持状態を開始する動作を実行する。ここで、データ保持状態とは、後でリモートシステムに無線送信される測定データのセットを固定している状態を意味する。一実装形態では、小型測定機器２０１は、測定値ディスプレイ２０９を具備してもよい。小型測定機器２０１は、測定値ディスプレイ２０９に表示中の測定値を固定することを含む動作の保持モードを実行してもよい。係る実装形態では、測定データのセットを固定するデータ保持状態を開始するこれらの動作は、機器側データ接続部ＤＣＰ２（例えば、雌型コネクタ２１９を含む）を通じて、小型測定機器２０１に上記動作の保持モードを開始させることを含む。これについては、後でより詳細に説明する。別の実装形態では、測定データのセットを固定するデータ保持状態を開始するこれらの動作は、測定データのセットを、後でリモートシステムに無線送信するために、測定値送信システム２５０の回路素子２５３ＡのメモリＭＥＭに一時的に記憶することを含んでもよい。
【００２２】
一実装形態では、送信動作サイクルは、データ保持解除動作をさらに含む。このデータ保持解除動作は、測定データの送信が成功した後に実行される。データ保持解除動作を実行することで、データ保持状態が終了する。例えば、図１を参照して上述したように、リモートシステム１８０は、無線送信された測定データを受信すると、「送信成功」信号ＳＴＳ１を測定値送信システム２５０に返送する。係る例では、測定値送信システム２５０は、送信成功信号ＳＴＳ１を受信すると、データ保持解除動作を実行し、データ保持状態を終了する。係る機能によって、ユーザは、測定データの送信が成功したことを知ることができ、次回の測定処理を行うことができることを理解されたい。当該次回の測定処理が完了するまで、ディスプレイ２０９に表示される測定値を、固定したままにすればよい。
【００２３】
一実装形態では、送信動作サイクルは、送信サイクル終了動作をさらに含む。この送信サイクル終了動作は、測定データの送信が成功した後に実行される。これによって、測定値送信システム２５０の少なくとも一部の動作が終了される。この動作終了状態は、測定値送信システム２５０のアクチュエータ（例えば、アクチュエータ２５５）をユーザが再び手動で操作するまで続く。この終了動作の間中、電力消費量及び演算処理量を一定に保つことができる。測定値送信システム２５０はまた、無線送信部ＷＴＰに加えて、無線受信部ＷＲＰ（例えば、アンテナ２６１と、回路素子２５３Ｂの各部とを含む）を含む。この場合、送信サイクル終了動作は、上述したように、リモートシステム１８０から送信成功信号ＳＴＳ１を受信した後に実行する。付加的に又は代替的に、測定値送信システムは、測定データの送信が失敗した場合（例えば、測定データの無線送信を開始してから一定時間期間以内に、リモートシステムからの送信成功信号を受信しない場合）、ユーザにエラーメッセージを提示してもよい。
【００２４】
第１のアクチュエータ２５５が送信アクチュエータ、電力生成アクチュエータ及び／又はデータ保持アクチュエータとして複数の機能を実行する一実装形態では、状態依存動作が用いられる。例えば、一実装形態では、状態依存動作は、ユーザがアクチュエータ２５５を操作することにより（例えば、ボタン２５５を押下し）、データ保持状態を開始する動作を実行した後、再びアクチュエータ２５５を操作することにより、送信動作サイクルを含む一連の動作を開始し且つ／又はデータ送信に必要な電力を生成することを意味する。係る実装形態では、ボタン２５５を一回目に押下すると、測定データを固定する（例えば、これにより、ユーザがディスプレイで測定値が正確であるかどうかを確かめることができる。また、小型測定機器２０１の何らかの部品を誤って動かしてしまっても、測定値が変化しない）。その後、ボタン２５５を二回目に押下すると、固定／確認された測定データがリモートシステム１８０に無線送信される。上述したように、一実装形態では、リモートシステム１８０からの送信成功信号ＳＴＳ１を受信すると、データ保持状態の固定解除及び／又は送信が成功した旨のディスプレイ表示を開始する。その後、同様の手順で、次回の測定値を取得して、送信する。つまり、ボタン２５５を一回目に押下すると、新たな測定データを固定し、その後、ボタン２５５を二回目に押下すると、この新たな測定データの無線送信を開始する。
【００２５】
代替的に、各実装形態では、送信アクチュエータ及び／又はデータ保持アクチュエータとして機能する第２のアクチュエータ２５７を設けてもよい。例えば、仕事量変換素子ＷＣＥを有する第１のアクチュエータ２５５を用いて仕事量を電力に変換している間、回路素子２５３Ａに接続された第２のアクチュエータ２５７が、一実装形態では、スイッチング機能を実行するのに用いられ、送信アクチュエータ及び／又はデータ保持アクチュエータとして機能してもよい。第２のアクチュエータ２５７が送信アクチュエータとして機能する一実装形態では、一構成では、まず、ユーザが第１のアクチュエータ２５５を操作すると、無線送信に使われる電力を生成し、次いで、ユーザが第２のアクチュエータ２５７を操作すると、測定データの無線送信を開始してもよい。第２のアクチュエータ２５７がデータ保持アクチュエータとして機能する一実装形態では、一構成では、まず、ユーザが第２のアクチュエータ２５７を操作すると、測定データを固定し、次いで、ユーザが第１のアクチュエータ２５５を操作すると、送信動作サイクルを開始し且つ／又は無線データ送信に使われる電力を生成してもよい。
【００２６】
後でより詳細に説明するが、各実装形態では、測定値送信システム２５０は、送信アクティベーション部ＴＡＰ２を有し、電力生成部ＥＧＰ２を用いないデータ保持機能を有してもよい。例えば、測定値送信システム２５０は、外部のバッテリを有するものとされ、且つ／又は小型測定機器２０１の電源に接続され、当該電源からの電力を利用する。係る一実装形態では、１つのアクチュエータで、データ保持アクチュエータの機能と、送信アクチュエータの機能とを実行する。例えば、一構成では、ユーザがアクチュエータの一回目の操作を行うと、測定データを固定し、次いで、ユーザが当該アクチュエータの二回目の操作を行うと、送信動作サイクルを開始してもよい。この際、これらの動作に必要な電力は、小型測定機器２０１又は測定値送信システム２５０の電源（例えば、バッテリ）から供給される。あるいは、一構成では、ユーザがアクチュエータを一回操作すると、測定データを固定すると共に、送信動作サイクルを開始してもよい（例えば、これにより、ユーザは、ディスプレイに表示されている測定データが正確かどうか確かめることができ、先の例で説明したように、測定データが固定状態であることで、送信処理がまだ成功していないことを示すことができる）。
【００２７】
図２Ａ及び図２Ｂの例で示す測定値送信システム２５０は、本体部ＢＰ２に格納され、測定値送信モジュールＭＴＭ２を構成する。測定値送信モジュールＭＴＭ２において、少なくともアクチュエータ２５５（例えば、送信アクチュエータ、電力生成アクチュエータ、及び／又はデータ保持アクチュエータ）は、ユーザに視認可能である。後でより詳細に説明するが、測定値送信モジュールＭＴＭ２は、小型測定機器２０１の少なくとも１つの接続特徴部（例えば、データ接続部ＤＣＰ２）と機械的且つ／又は電子的に接続するように構成されてもよい。場合によっては、測定値送信モジュールＭＴＭ２は、バッテリを具備せず、小型測定機器２０１からの電力を消費することなく（例えば、代わりに、電力生成部ＥＧＰ２から、必要な電力の供給を受けて）動作するように構成されてもよい。なお、係る測定値送信モジュールＭＴＭ２を（例えば、データ接続部ＤＣＰ２のデータポート等の既存のデータポートを介して）既存のノギスに接続することで、データ保持動作を伴う測定データの無線送信機能及び／又は測定データの無線送信に必要な電力の生成機能を付加することができる。別の実装形態では、測定値送信システムは、小型測定機器に格納され、係る機能を提供する。これについては、後で図６を参照してより詳細に説明する。
【００２８】
図２の例では、測定値送信システム２５０の接続特徴部ＣＦ２Ａが、底部に機器側雄型コネクタ２６３を有する。オプションで設けられる接続特徴部ＣＦ２Ｂが、噛合部を有する。なお、当該噛合部を取り外すには、専用の噛合解除工具が必要となる。測定値送信システム２５０の機器側雄型コネクタ２６３は、データ接続部ＤＣＰ２内に収容される。このデータ接続部ＤＣＰ２は、小型測定機器２０１の雌型コネクタ２１９を有する。当該雌型コネクタ２１９は、測定データを外部機器（例えば、図１のリモートシステム１８０）に供給するための、小型測定機器２０１の一次出力ポートの一部である。一実装形態では、雌型コネクタ２１９は、複数の導通部及び非導通部が交互に積層された封止型弾性インターコネクタを含む。これについては、同一出願人による特許文献４にさらに詳細に記載されている。雄型コネクタ２６３は、相補型のコネクタとすることができる。しかし、より一般的には、任意の適した接続方法を用いることができる。また、雌型コネクタ２１９は、ＲＳ ２３２ポート、シリアルポート、コネクタ（例えば、フラットコネクタ、円形６ピンコネクタ、フラット１０ピンコネクタ等）に適合するデジマチックインタフェース等のインタフェース、又は測定データを外部機器に供給するための他の任意の出力ポートの一部とすることができる。いくつかのタイプの出力ポート及びコネクタが、同一出願人による特許文献５にさらに詳細に記載されている。係るコネクタは、小型測定機器と外部機器（例えば、図１のリモートシステム１８０）とを有線接続するのに用いられることが多いが、代わりに本明細書に記載されるように、測定値送信システムを小型測定機器に装着するのに、係るコネクタを用いることで、測定データをリモートシステムに無線送信することができることを理解されたい。
【００２９】
図２Ａに示すように、小型測定機器２０１は、本尺を有するメインスケール２０２と、メインスケール２０２上に配置されたスライダ２０６とを有する。当該スライダ２０６は、メインスケール２０２の縦軸に沿って摺動可能にメインスケール２０２上に配置される。メインスケール２０２は、内側用測定ジョウ２０３と、外側用測定ジョウ２０４とを具備する。内側用測定ジョウ２０３及び外側用測定ジョウ２０４はそれぞれ、本尺の基端の上方及び下方縁部に取り付けられる。小型測定機器２０１は、スケール２０５をさらに有する。当該スケール２０５は、長手軸方向に沿って本尺の内側部分に取り付けられる。内側用測定ジョウ２０３及び外側用測定ジョウ２０４はそれぞれ、メインスケール２０２と一体とされる。
【００３０】
スライダ２０６の外面には、内側用測定ジョウ２０７と、外側用測定ジョウ２０８とが配置される。内側用測定ジョウ２０７及び外側用測定ジョウ２０８はそれぞれ、基端の上方及び下方の縁部に取り付けられる。また、スライダ２０６の前面には、デジタルディスプレイ２０９が配置される。スライダ２０６には、止めねじ２１０が螺合される。この止めねじ２１０によって、スライダ２０６の位置が固定される。スライダ２０６の外面には、フィードローラ２１１が取り付けられる。このフィードローラ２１１がメインスケール２０２の本尺と接触して回転することで、スライダ２０６が移動する。
【００３１】
測定動作時に、スライダ２０６がフィードローラ２１１によって移動することで、測定ジョウ２０７又は２０８が、測定ジョウ２０３又は２０４と共に測定対象物ＷＰの対象部分に接触する。この時、スライダ２０６の変位が、メインスケール２０２の本尺に設けられたスケール２０５と、スライダ２０６の検出ヘッドとによって検出される。この検出された測定値（測定対象物ＷＰの測定寸法ＭＤ２として示す）の信号は、回路基板（図示せず）により、測定データとして処理される。この測定データは、スライダ２０６の前側に設けられたデジタルディスプレイ２０９に表示測定値ＤＭ２として表示され、且つ／又は、上述したように、測定値送信システム２５０によってリモートシステム（例えば、図１のリモートシステム１８０）に無線送信される。
【００３２】
図３は、小型測定機器３０１に接続される、第３の例示的な実施形態に係る測定値送信システム３５０を示す斜視図である。測定値送信システム３５０は、測定値送信システム１５０及び２５０と同様の特徴部を有し、以下で別途記載がない限り、測定値送信システム１５０及び２５０と同様に動作するものと解釈されることを理解されたい。図３に示すように、測定値送信システム３５０は、測定値送信モジュールＭＴＭ３の一部として、アクチュエータ３５５と、機器側雄型コネクタ２５２と、複数の噛合締結具３６５と、本体部ＢＰ３とを有する。機器側雄型コネクタ２５２は、図２のコネクタ２６３と同様に、小型測定機器３０１のデータ接続部ＤＣＰ３に設けられた雌型コネクタ２１９に挿入される。小型測定機器３０１には複数の孔２１７が形成される。これらの各孔２１７に、測定値送信システム３５０の各噛合締結具３６５が挿入される。各実装形態では、各噛合締結具３６５は、固定的な締結具、半固定的な締結具、又は取り外し可能締結具とすることができる。
【００３３】
各実装形態では、アクチュエータ３５５は、図２のアクチュエータ２５５に関して上述した動作と同様に、電力生成アクチュエータ、送信アクチュエータ、及び／又はデータ保持アクチュエータとして機能する。図３の例では、測定値送信システム３５０の一部として設けられるアクチュエータ３５５は、１つのみである。したがって、電力生成部が測定値送信システム３５０内に設けられる一実装形態では、ユーザがアクチュエータ３５５に対して１回操作（例えば、ボタン３５５の押下）すると、送信動作サイクルを開始すると共に、無線データ送信に必要な電力を生成する。付加的に又は代替的に、状態依存動作を利用してもよい。例えば、測定値送信システム３５０でデータ保持動作を行う一実装形態では、状態依存動作によって、ユーザがアクチュエータ３５５を操作すると、データ保持状態を開始し、その後、ユーザが再びアクチュエータ３５５を操作すると、送信動作サイクルを含む一連の動作を開始し且つ／又はデータ送信に必要な電力を生成することができる。係る実装形態では、ボタン３５５を一回目に押下すると、測定データを固定する（例えば、これにより、ユーザが小型測定機器２０１のディスプレイ２０９で固定した測定値が正確であるかどうかを確かめることができる）。その後、ボタン３５５を二回目に押下すると、固定／確認された測定データがリモートシステム１８０に無線送信される。各実装形態では、リモートシステム１８０からの送信成功信号を受信した場合又は別の方法で送信が成功したと判定した場合に、ディスプレイ２０９を用いてユーザにその旨を通知する。例えば、上述したように、一実装形態では、ディスプレイ２０９上の測定値の固定を解除することをもって、この通知としてもよい。あるいは、ディスプレイ２０９に（例えば、「ＯＫ」という文字を表示する等）他の表示を行ってもよい。
【００３４】
図４は、測定値送信システム４５０を収容するための凹部が形成された第４の例示的な実施形態に係る測定値送信システム４５０であって、小型測定機器４０１に接続される測定値送信システム４５０を示す斜視図である。測定値送信システム４５０は、上記測定値送信システム１５０、２５０及び３５０と同様の特徴部を有し、以下で別途記載がない限り、上記測定値送信システム１５０、２５０及び３５０と同様に動作するものと解釈されることを理解されたい。測定値送信システム４５０（アクチュエータ４５５を含む）及び小型測定機器４０１は、図３の測定値送信システム３５０及び小型測定機器３０１と実質的に同様のものであるが、主に、小型測定機器４０１の凹部４１０と、測定値送信システム４５０のディスプレイ４５９とが異なる。
【００３５】
図４に示すように、凹部４１０は全体として、測定値送信モジュールＭＴＭ４の本体部ＢＰ４の外形寸法に一致する形状とされている。測定値送信モジュールＭＴＭ４は、測定値送信システム４５０を含む。凹部４１０は、その底部に、データ接続部ＤＣＰ４の雌型コネクタ２１９を備える。この雌型コネクタ２１９に、測定値送信システム４５０の機器側雄型コネクタ４６３が挿入される。凹部４１０は、複数の孔２１７をさらに有する。これらの各孔２１７に、測定値送信システム４５０の各噛合締結具４６５が挿入される。
【００３６】
一実装形態では、凹部４１０は、測定値送信システム４５０が噛合締結具４６５によって当該凹部４１０内に固定されたときに、測定値送信システム４５０の本体部ＢＰ４が、小型測定機器４０１の表面とほぼ面一で、当該表面から過度に突出しないような寸法とされる。本実施形態において小型測定機器４０１にこのような凹部４１０を形成することは、測定値送信システム４５０を、小型測定機器４０１の理想的な人間工学的設計を保ちつつ、一体的に凹部４１０に嵌入することができるという点で好都合である。あるいは、測定値送信システム４５０をコストダウンのために省き、事後的に、必要に応じて測定値送信システム４５０を購入して取り付けてもよい。また、凹部４１０が形成されていない、上述の実施形態の小型測定機器（例えば、図３の小型測定機器３０１）も、同一の測定値送信システム４５０を用いることができる。これによって、測定値送信システム４５０及び／又は小型測定機器３０１、４０１のモデル（機種）の数を減らすことができ、必要となる在庫数を減らすことができることから、コスト的な利点がある。
【００３７】
各実装形態では、ディスプレイ４５９によって、ユーザに測定値送信システム４５０の動作に関する様々な情報を提示する。例えば、小型測定機器２０１のディスプレイ２０９の代わりに、ディスプレイ４５９によって、リモートシステム１８０からの送信成功信号を受信した場合又は送信が成功したと別の方法で判定した場合に、ユーザにその旨を通知する。例えば、送信が成功したと判定した場合、図４に示すように「ＯＫ」という文字をディスプレイ４５９に表示する。他の実装形態では、より大きなディスプレイを用いて（例えば、測定データ値の固定値等を表示して）もよい。上記測定値送信システム１５０、２５０及び３５０のいずれにおいても、同様のタイプのディスプレイを複数設けてもよいことを理解されたい。
【００３８】
図５は、測定データをリモートシステムに無線送信するための第５の例示的な実施形態に係る測定値送信システム５５０であって、小型測定機器５０１に格納された状態の測定値送信システム５５０を示す正面図である。測定値送信システム５５０は、上記測定値送信システム１５０、２５０、３５０及び４５０と同様の特徴部を有し、以下で別途記載がない限り、上記測定値送信システム１５０、２５０、３５０及び４５０と同様に動作するものと解釈されることを理解されたい。上記測定値送信システム２５０、３５０及び４５０が有する本体部ＢＰは、取外し可能且つ携帯可能な測定値送信モジュールＭＴＭの一部である。対称的に、この測定値送信システム５５０は、小型測定機器５０１の一部として一体化されて、当該小型測定機器５０１内に格納されている（例えば、小型測定機器５０１から取り外し可能であり、他の測定機器に取り付け可能であるとは、通常の作用として想定されていない）。
【００３９】
図５の例では、測定値送信システム５５０は、１つのアクチュエータ５５５（例えば、「保持／送信」ボタン５５５として示す）を有する。したがって、図３を参照して上述したように、図３と同様に、各実装形態では、１つのアクチュエータ５５５に対して状態依存動作を利用する。例えば、一実装形態では、状態依存動作の機能によれば、ユーザがアクチュエータ５５５を操作すると、データ保持状態を開始し、その後、ユーザが再びアクチュエータ５５５を操作すると、送信動作サイクルを含む一連の動作を開始し、且つ／又はデータ送信に必要な電力を生成する。操作時に、上述した図２の実装形態と同様に、測定対象物ＷＰの測定寸法ＭＤ２を測定データとして処理し、当該処理データをデジタルディスプレイ２０９に表示測定値ＤＭ５として表示し、且つ／又は測定値送信システム５５０によってリモートシステム（例えば、図１のリモートシステム１８０）に無線送信する。
【００４０】
測定値送信システム５５０が小型測定機器５０１と一体化されているため、一実装形態では、小型測定機器５０１の電源（例えば、バッテリ）によって、測定データ送信に必要な電力の一部又は全てを供給することができる。あるいは、一実装形態では、電力生成部を測定値送信システム５５０に設け、これによって無線送信に必要な電力を供給し、無線送信の起動時に小型測定機器５０１の主電源の電力が消耗しないようにしてもよい。各実装形態では、測定値送信システムが小型測定機器５０１と一体化されているため、一般的に、小型測定機器５０１のメインディスプレイ２０９及びメモリを用いて、あらゆるデータ保持動作（例えば、測定データの固定値の記憶及び表示、並びに測定データの送信が成功した場合のユーザに対する何らかの通知）を行うことができる。別の実装形態では、別個のインジケータを、別個のディスプレイ又は測定値送信システム５５０の外面に設けてもよい。
【００４１】
図６は、測定値送信システム６５０、小型測定機器６０１、リモートシステム６８０の各回路部を含む、例示的な一実施形態に係る測定システム６００を示すブロック図である。各実装形態では、図６の各回路部のいずれか又は全てが、図１〜図５の各構成要素の各回路部を示し得ることを理解されたい。図６に示すように、リモートシステム６８０は、コンピュータシステム６８２と、信号処理部６８８と、送受信回路６９０と、アンテナ６８１とを有する。コンピュータシステム６８２は、測定データアプリケーションプログラム実行部６９２と、ステータス及び／又は制御動作部６９４と、データ確認動作ステータス／解除動作部６９６とを含む。各実装形態では、コンピュータシステム６８２は、ＰＣ、タブレット、スマートフォン等のパーソナルコンピューティングデバイスの一種とすることができる。図１〜図５を参照して上述したように、リモートシステム６８０は、アンテナ６８１を用いて、測定値送信システム６５０と信号を送受信することができる。例えば、リモートシステム６８０は、送信された測定データを受信し、当該測定データの受信が成功すると、「送信成功」信号を測定値送信システム６５０に返送することができる。送受信動作を実現するため、送受信回路６９０は、既存の様々な技術（例えば、Ｂｌｕｅｔｏｏｔｈ（登録商標）等の無線プロトコルを利用する無線ＵＳＢ送信部、他のタイプの無線プロトコル送信機／受信機等）を利用することができる。
【００４２】
各実装形態では、信号処理部６８８は、任意で設けることができる。この信号処理部６８８が、種々のフォーマットに変換又は他の機能を行うことで、送受信回路６９０で受信した信号を、未加工の状態から、測定データアプリケーションプログラム実行部６９２による処理に適したフォーマットに変換することができる。一例として、プロトコルを用いることで、受信した未加工の測定データを、測定データアプリケーションプログラム実行部６９２によって処理可能な（例えば、表計算ソフトに入力するための）測定値に変換することができる。一実装形態では、信号処理部６８８は、送受信回路６９０が受信した信号から、関係のない情報（例えば、ヘッダ情報）（例えば、特に、表計算ソフトに入力されない情報や、測定データアプリケーションプログラム実行部６９２に不要な関係のない情報）を除去するか又はこれを別の方法で処理する。独立した信号処理部６８８を設ける代わりに、測定データアプリケーションプログラム実行部６９２が、送受信回路６９０が受信した未加工の測定データやＩＤ、信号等を直接処理するように構成してもよい。
【００４３】
各実装形態では、製造者、販売者等は、測定データアプリケーションプログラム実行部６９２を、１種以上の小型測定機器６０１で使用可能なように設計してもよい。一実装形態では、測定データアプリケーションプログラム実行部６９２は、小型測定機器６０１から測定データを受信するための統計処理制御プログラムと、測定データによって示される測定値が入力される表計算ソフト又は他のプログラムとを有してもよい。
【００４４】
ステータス及び／又は制御動作部６９４は、直近に受信した測定データの処理のステータスを示す、測定データアプリケーションプログラム実行部６９２からの信号を判定及び／又は別の方法で受信する。データ確認動作ステータス／解除動作部６９６は、判定されたステータスを利用して、確認信号及び／又は解除信号をステータス及び／又は制御動作部６９４から信号処理部６８８にいつ送信して測定値送信システム６５０に返送させるべきかを示す。例えば、上述したように、一実装形態では、送信された測定データの受信が成功すると、リモートシステム６８０は、送信成功信号を測定値送信システム６５０に返送すればよい。
【００４５】
図６にも示すように、測定値送信システム６５０は、電力生成／送信アクティベーション部６５２と、電力管理回路６５４と、低電力マイクロコントローラ／メモリ６５６と、小型測定機器データ及び／又はステータス／制御動作部６５７と、コントローラルーチン実行部６５８と、低電力送受信回路６６０と、アンテナ６６１とを有する。各実装形態では、測定値送信システム６５０の各回路構成部は、上記測定値送信システム１５０、２５０、３５０、４５０及び／又は５５０の各特定の構成要素に対応する。例えば、一実装形態では、電力生成／送信アクティベーション部６５２は、図２Ａ及び図２Ｂの送信アクティベーション部ＴＡＰ２及び電力生成部ＥＧＰ２に対応する。さらに、回路部６５４〜６５８は、回路素子２５３Ａに対応し、低電力送受信回路６６０は、図２Ａ及び図２Ｂの回路素子２５３Ｂに対応する。
【００４６】
各実装形態では、電力生成／送信アクティベーション部６５２は、１つのアクチュエータ（例えば、アクチュエータ２５５）を有してもよい。あるいは、電力生成／送信アクティベーション部６５２は、電力生成部専用の回路部を備えるアクチュエータと、送信アクティベーション部専用の回路部を備えるアクチュエータとを有してもよい。電力管理回路６５４は、利用可能な電力量に応じて、測定値送信システム６５０の回路部の動作を調整する。各実装形態では、電力管理回路６５４は、種々の電圧調整回路素子、及び／又は電力の残量を監視するための電圧検出回路素子を利用してその機能を実現する。例えば、一具体例としての実装形態では、電力管理回路６５４は、電力生成部６５２が作動を始めると、利用可能な電力量を監視し、利用可能な電力値が所定の閾値を下回った場合に低電力マイクロコントローラ／メモリ６５６に動作を停止するように命令すればよい。電力値が極めて低い状態でマイクロコントローラ６５６が動作を継続すると、エラーが発生する可能性があるが、上記の機能により、そのような事態を回避することができる。一般的に、電力生成部６５２の１回の動作サイクルによって生成される電力量の制限に基づいて、測定値送信システム６５０が、リモートシステム６８０から返送される送信成功信号を待機するためにアクティブでいられる時間（例えば、具体的且つ例示的な一実装形態では、約１０秒以下）が制限される。
【００４７】
各実装形態では、低電力マイクロコントローラ／メモリ６５６は、測定値送信システム６５０の中央制御部として動作する。各実装形態では、低電力マイクロコントローラ／メモリ６５６は、例えば、（データポート又は接続配線等を介して接続された）小型測定機器６０１からの測定データを処理する、測定データを送信用のフォーマットに変換する、測定データに対して任意のコマンド又は識別子を適宜付加する、測定データを低電力送受信回路６６０に出力してリモートシステム６８０に送信させる等の機能を有する。小型測定機器データ及び／又はステータス／制御動作部６５７は、小型測定機器６０１と低電力マイクロコントローラ／メモリ６５６との間の通信を円滑に行うのに用いられる。例えば、データ保持機能が必要とされる場合、小型測定機器データ及び／又はステータス／制御動作部６５７は、適切な制御信号を決定し、この信号を小型測定機器処理／制御部６１２に送信し、データ保持機能を開始させるのに用いることができる。
【００４８】
低電力マイクロコントローラ／メモリ６５６はまた、コントローラルーチン実行部６５８と協働して種々の動作を実行する。コントローラルーチン実行部６５８は、アクチュエータ動作部６７１と、保持／キュー動作部６７２と、送信動作部６７４と、信号受信動作部６７６と、ＩＤリンク動作部６７８とを含む。各実装形態では、アクチュエータ動作部６７１は、図１〜図５を参照して上述したように、いつユーザがアクチュエータを操作したかを判定し、及び／又は各種の状態依存動作を判定するのに用いられる。例えば、例示的な一実装形態では、アクチュエータが一回目に操作されると、保持動作を開始し、その後、二回目に操作されると、送信動作を開始するが、これは、アクチュエータ動作部６７１によって実現される。
【００４９】
保持／キュー動作部６７２は、種々のデータ保持機能を実現するのに用いられる。例えば、保持／キュー動作部６７２によって、ユーザがデータ保持アクチュエータを操作したときに低電力マイクロコントローラ／メモリ６５６に測定データを記憶させ、且つ／又は小型測定機器処理／制御部６１２に命令を送信して、小型測定機器６０１内の保持動作の一部として測定データを記憶させることができる。保持／キュー動作部６７２の別の動作例として、（例えば、送信成功信号をリモートシステム６８０から受信した結果として）データ保持解除動作を実行する場合、低電力マイクロコントローラ６５６は、小型測定機器処理／制御部６１２に信号を送信して、データ保持状態を終了させてもよい。
【００５０】
また、送信動作部６７４は、測定データにシリアル番号（通し番号）を付加したり、測定データに付加的な情報（例えば、機器ＩＤ等）を付加したり、且つ／又は測定データを各種のフォーマットに変換したり、又はリモートシステム６８０の測定データアプリケーションプログラム実行部６９２の動作を補助するためのコマンドを測定データに付加したりするのに用いられる。一具体例として、測定データアプリケーションプログラム実行部６９２が表計算ソフトに測定データを入力する際、送信動作部６７４は、送信中の測定データの終端に「ｅｎｔｅｒ」コマンドを付加してもよい。これにより、表計算アプリケーションソフトにおいて、上記送信中の測定データの入力が完了すると、「ｅｎｔｅｒ」コマンドに従って、次のセルに移動する。この移動先のセルには、次回に受信する測定データが入力されることとなる。
【００５１】
また、信号受信動作部６７６は、各実装形態では、リモートシステム６８０又は他のシステムから受信した信号を処理するのに用いられる。例えば、上述したように、一実装形態では、リモートシステム６８０は、測定データの受信に成功すると、送信成功信号を測定値送信システム６５０に返送する。信号受信動作６７６部は、リモートシステム６８０から受信したこのような信号のフォーマットを復号又は別の方法で処理することができる。さらに、一実装形態によれば、測定値送信システム６５０が送信モードと受信モードとを切り替える必要がある場合、信号受信動作部６７６は、送信モードと受信モードとを起動するタイミングを判定するための調整処理を補助する。
【００５２】
また、ＩＤリンク動作部６７８は、リモートシステム６８０が、測定データの送信元である機器の機種を判定し、及び／又は複数の機器が存在する場合に測定データの送信元である機器を判定するのに必要な情報を、送信対象の測定データに付加するのに用いられる。例えば、複数の小型測定機器が、１つのリモートシステム６８０に対して、所定期間内に測定データを送信する場合がある。この場合、リモートシステム６８０が、複数の小型測定機器のうち、現在受信した測定データのセットの送信元である小型測定機器を判定可能であることが望ましい。さらに、様々な機種の小型測定機器（例えば、異なる複数の機種のノギス、測定機器（gauge）等）が、測定データを送信可能である場合がある。この場合、リモートシステム６８０は、機種によって異なる方法で測定データを解釈又は処理するため、これらの小型測定機器を適切に識別する必要がある。
【００５３】
当業者であれば理解されるように、測定システム６００の種々の例示の回路部は、典型的には、あらゆるタイプのコンピューティングシステム又はデバイスから成るか又は当該コンピューティングシステム又はデバイスにおいて実現することができる。係るコンピューティングシステム又はデバイスは、本明細書に記載される機能を実現するソフトウェアを実行する１つ又は複数のプロセッサを有することができる。これらのプロセッサは、プログラマブル汎用又は専用マイクロプロセッサ、プログラマブルコントローラ、特定用途向け集積回路（Application Specific Integrated Circuit：ＡＳＩＣ）、プログラマブルロジックデバイス（Programmable Logic Device：ＰＬＤ）等又はこれらの組合せを含むことができる。ソフトウェアは、ＲＡＭ（Random Access Memory）、ＲＯＭ（read only memory）、フラッシュメモリ等又はこれらの組合せ等のメモリに記憶することができる。また、ソフトウェアは、磁気ディスク又は光ディスク、フラッシュメモリデバイス、又はデータを記憶するための他の任意のタイプの不揮発性記憶媒体等の１つ又は複数の記憶装置に記憶することもできる。ソフトウェアは、１つ又は複数のプログラムモジュールを有し、この１つ又は複数のプログラムモジュールが、特定のタスクを実行するか又は特定の抽象データタイプを実現するルーチン、プログラム、オブジェクト、コンポーネント、データ構造等を含んでもよい。分散されたコンピューティング環境において、プログラムモジュールの機能を、複数のコンピューティングシステム又はデバイスにわたって組み合わせるか又は分散して、有線又は無線のいずれかの構成のサービスコールを介してアクセスするようにしてもよい。
【００５４】
本開示の好適な実施形態を例示及び説明したが、例示及び説明した特徴の配置及び一連の動作に関して、多数の変形が本開示に基づいて当業者には明白であろう。種々の代替形状及び形態を用いて本明細書に開示される原理を実施することができる。さらに、上記各実施形態を組み合わせて、さらに別の実施形態を提供することができる。本明細書に記載した全ての特許文献の開示を参照することにより、本発明の一部を構成する。必要に応じて、各特許文献の構想を採用して本実施形態の各態様を変更することができる。これにより、さらに別の実施形態を提供することができる。
【００５５】
上記説明に照らして本実施形態を多様に変更することが可能である。一般に、特許請求の範囲において使用する語句は、特許請求の範囲を、明細書及び特許請求の範囲に開示される具体的な実施形態に限定するものであると解釈されるべきでない。むしろ、考え得る全ての実施形態に加えて、特許請求の範囲の均等物の全範囲をも含むと解釈されるべきである。
【符号の説明】
【００５６】
１０１（２０１、３０１、４０１、５０１、６０１）…小型測定機器
１８０（２８０、３８０、４８０、５８０、６８０）…リモートシステム
１５０（２５０、３５０、４５０、５５０、６５０）…測定値送信システム
ＤＣＰ２（ＤＣＰ３、ＤＣＰ４）…データ接続部
ＷＴＰ…無線送信部
ＴＡＰ２…送信アクティベーション部
ＥＧＰ２…電力生成部
【図１】
2016085735.tif 000003
【図２Ａ】
2016085735.tif 000004
【図２Ｂ】
2016085735.tif 000005
【図３】
2016085735.tif 000006
【図４】
2016085735.tif 000007
【図５】
2016085735.tif 000008
【図６】
2016085735.tif 000009